(57)【要約】本発明は、コンピュータによって実行される方法に関し、コンピュータは、各データセットが少なくとも時間値および角度値を含む複数のデータセットを取得するステップと、時間値に従って中心から半径方向の距離に、角度値に従って基準方向からの角度に、極座標系においてデータセットを示すピクセルを配置するステップと、を含む。
2019534452.tif 000002
【特許請求の範囲】
【請求項１】
コンピュータによって実行される方法であって、
各データセットが少なくとも時間値と角度値を含む複数のデータセットを取得し、時間値に基づいて中心から半径方向の距離に、角度値に基づいて基準方向からの角度に、極座標系において前記データセットを示すピクセルを配置する方法。
【請求項２】
各ピクセルは、前記データセットに付加的に含まれる測定値に基づいて色付けされる、請求項１に記載の方法。
【請求項３】
各ピクセルの色は、前記測定値に対する線形目盛、対数目盛、パーセント目盛のような所定の尺度または正規化に基づいて選択される請求項２に記載の方法。
【請求項４】
対応する前記データセットの前記測定値が所定の閾値を超えると、所定の色が各ピクセルに割り当てられる、請求項２に記載の方法。
【請求項５】
各画素に割り当てられた色は、カラースキームに基づいて修正することができる、請求項２に記載の方法。
【請求項６】
前記カラースキームは、線形カラースキームまたはパーセントカラースキームのように、前記測定されたデータに適合させることができる、請求項５に記載の方法。
【請求項７】
前記測定値は、圧縮機の圧力値である、請求項２に記載の方法。
【請求項８】
同じ角度値を有するデータセットの複数の測定値の分散を示すピクセルが、極座標系に配置される、請求項２に記載の方法。
【請求項９】
前記分散を示す各ピクセルの色は、前記分散に対する線形目盛、対数目盛、またはパーセント目盛に基づいて選択される、請求項８に記載の方法。
【請求項１０】
前記分散を示す前記ピクセルは、前記中心に対して円上に配置される、請求項９に記載の方法。
【請求項１１】
前記複数のデータセットは、センサーによって取得される、請求項１に記載の方法。
【請求項１２】
前記複数のデータセットは、回転機械または発振機械上で取得される、請求項１に記載の方法。
【請求項１３】
データストリームに基づいて画像を表示する方法であって、前記データストリームは、少なくとも複数の時間値と、複数の対応する角度値とを含み、
前記データストリームを、時間値を含む第１のサブセットデータストリームと、角度値を含む第２のデータストリームとに分離し、
前記第１のデータストリームに基づいて中心から半径方向の距離に、前記第２のデータストリームに基づいて基準方向からの角度に、極座標系においてピクセルを配置する
ことによって前記データストリームを表示する方法。
【請求項１４】
センサー手段によって前記データストリームを取得する、請求項１３に記載の方法。
【請求項１５】
データストリームに基づいて画像を表示するためのシステムであって、
前記データストリームは、少なくとも複数の時間値と、複数の対応する角度値とを含み、
前記データストリームを、時間値を含む第１のサブセットデータストリームと、角度値を含む第２のデータストリームとに分離するための分離器と、
前記第１のデータストリームに基づいて中心から半径方向の距離に、前記第２のデータストリームに基づいて基準方向からの角度に、極座標系においてピクセルを配置することによって、前記データストリームを表示するためのコントローラと、
を有するシステム。
【発明の詳細な説明】
【技術分野】
【０００１】
本発明は、データセットを表すピクセルを配置する方法および対応するシステムに関する。
【背景技術】
【０００２】
生産プロセスの監視および分析は、工業生産の本質的な特徴である。このプロセスの測定値は、工業生産の最適化に役立つ。この手順では、膨大な数のデータセットを含むデータが取得される。しかしながら、しばしば、人間のユーザによる特定のパターンの光学的認識のために、これらのデータを再処理することが必要である。人間のユーザは、個々の評価のために迅速かつ直観的にデータを理解しなければならない。
【０００３】
米国特許第８６３８９８１号は、時間的に位置合わせされ、可変サイズのピクセルを、画像による視覚化における離散的なリングに配置することに関する。米国特許出願公開第２０１３／０２７８６２３号は、属性間の相関関係を示すための相関関係リングを提供することに関する。
【先行技術文献】
【特許文献】
【０００４】
【特許文献１】米国特許第８６３８９８１号明細書
【特許文献２】米国特許出願公開第２０１３／０２７８６２３号明細書
【発明の概要】
【発明が解決しようとする課題】
【０００５】
本発明の目的は、技術的または産業的なプロセスから取得された時間値および対応する角度値を含む表示データを具体的に改善することである。
【課題を解決するための手段】
【０００６】
この目的は、独立請求項に従った技術的事項によって解決される。好ましい技術的実施形態は、従属請求項、明細書、または図に従う。
【０００７】
第１の態様によれば、この目的は、コンピュータによって実行される方法によって具体的に解決され、コンピュータは、複数のデータセットを取得するステップを含み、各データセットは、少なくとも時間値および角度値を含み、データセットを表すピクセルを、時間値に従って中心から半径方向距離に、角度値に従って基準方向から角度に、極座標系において配置する。この方法は、データの迅速で直観的な人間による取得と、基礎となるプロセスの評価とを可能にする。各サイクルにおける重大な状態または異常な状態を容易に識別することができる。
【０００８】
本方式の技術的に好ましい実施形態では、各ピクセルは、データセットにさらに含まれる測定値に基づいて着色される。この実施形態は、基礎となるプロセスのサイクルを、他のサイクルに関して取得することができるという技術的利点を有する。本方式のさらに技術的に好ましい実施形態では、各ピクセルの色は、測定値に対する線形目盛、対数目盛、パーセント目盛などの特定の尺度または正規化に基づいて選択される。この実施形態は、測定値の特定の間隔が色分けされるという技術的利点を有する。
【０００９】
本方式のさらに技術的に好ましい実施形態では、対応するデータセットの測定値が所定の閾値を超えると、所定の色が各ピクセルに割り当てられる。この実施形態は、特定のデータセットを強調することができるという技術的利点を有する。
【００１０】
この方式のさらに技術的に好ましい実施形態では、各ピクセルに割り当てられた色を、カラースキームに従って修正することができる。この実施形態は、測定値の強調表示を適合させることができるという技術的利点を有する。
【００１１】
本方式のさらに技術的に好ましい実施形態では、カラースキームは、線形カラースキームまたはパーセントカラースキームなど測定されたデータに適合させることができる。この実施形態は、適切なカラースキームが使用されるという技術的利点を有する。
【００１２】
本方式のさらに技術的に好ましい実施形態では、測定値は圧縮機の圧力値である。この実施形態は、圧縮機の状態が、各サイクルおよび角度に関して、時間とともに容易に表示され、取得され得るという技術的利点を有する。
【００１３】
本方式のさらに技術的に好ましい実施形態では、同じ角度値を有するデータセットの複数の測定値の分散を表すピクセルが極座標系に配置される。この実施形態は、低いエントロピーまたは高いエントロピーを有する関連領域を識別することができるという技術的利点を有する。
【００１４】
本方式のさらに技術的に好ましい実施形態では、分散を表す各ピクセルの色は、分散に対する線形目盛、対数目盛、またはパーセント目盛に基づいて選択される。この実施形態は、関連領域をより容易に取得することができるという技術的利点を有する。
【００１５】
本方式のさらに技術的に好ましい実施形態では、分散を表すピクセルは、中心に対して円上に配置される。この実施形態は、各角度値に対する分散を示すことができるという技術的利点を有する。
【００１６】
本方法のさらなる技術的に好ましい実施形態では、複数のデータセットがセンサーによって取り込まれる。この実施形態は、データセットストリームを直接またはリアルタイムで提供することができるという技術的利点を有する。
【００１７】
この方式のさらに技術的に好ましい実施形態では、複数のデータセットが回転機械または発振機械上で取得される。この実施形態は、回転機械または発振機械の状態を容易に識別することができるという技術的利点を有する。
【００１８】
第２の態様によれば、この目的は、データストリームに基づいて画像を表示する方法によって具体的に解決され、データストリームは、少なくとも複数の時間値および複数の対応する角度値を含み、データストリームを、時間値を含む第１のサブセットデータストリームと、角度値を含む第２のデータストリームとに分割するステップと、ピクセルを、第１のデータストリームに従ってセンターから半径方向の距離に配置し、第２のデータストリームに従って基準方向からの角度に配置することによって、データストリームを表示するステップとを含む。この方法は、第１の態様による方法と同じ技術的利点を有する。
【００１９】
本方式のさらに技術的に好ましい実施形態は、センサーによってデータストリームをキャプチャするステップを含む。この実施形態は、データストリームを直接またはリアルタイムで提供できるという技術的利点を有する。
【００２０】
第３の態様によれば、この目的は、データストリームに基づいて画像を表示するためのシステムによって具体的に解決され、データストリームは、少なくとも複数の時間値と、複数の対応する角度値とを含み、データストリームを、時間値を含む第１のサブセットデータストリームと、角度値を含む第２のデータストリームとに分離するための分離部と、第１のデータストリームに従って中心から半径方向の距離に、第２のデータストリームに従って基準方向からの角度にピクセルを配置することによって、データストリームを表示するためのコントローラとを含む。このシステムは、第１の態様による方法と同じ技術的利点を有する。
【図面の簡単な説明】
【００２１】
システムおよび方法の実施形態を、以下に説明する図に示す。
【図１】図１は、データセットを表すピクセルを配置する概略図を示す。
【図２】図２は、時間角度スパイラルグラフを示す。
【図３】図３は、さらなる時間角度スパイラルグラフを示す。
【図４】図４は、時間角度スパイラルグラフの相互関係を示す。
【図５】図５は、さらなる時間角度スパイラルグラフの相互関係を示す。
【図６】図６は、さらなる時間角度スパイラルグラフの相互関係を示す。
【図７】図７は、補強データを含む時間角度スパイラルグラフを示す。
【図８】図８は、補強データを含むさらなる時間角度スパイラルグラフを示す。
【図９】図９は、システムの概略図を示す。
【００２２】
図１は、データセットを表すピクセルを配置する概略図を示す。画面は、コンピュータによって実行される方式を用いて取得され、複数のデータセット１０７を取得するステップを含み、各データセット１０７は、少なくとも時間値及び角度値を含み、データセット１０７を表すピクセル（画素）を、時間値に従って中心位置１０１から半径方向距離１０２に、角度値に従って基準方向１０４から角度１０３に、極座標系１００に配置する。時間角度スパイラルグラフ１０５は、反時計回り方向に走る連続したデータセット１０７から得られる。
【００２３】
各ピクセルはデータセットを表す。ピクセルは、スパイラル上に配置される。より古い時間値を有するデータセット１０７は、より新しい時間値を有するデータセット１０７よりも内側に位置する。時間値は、実数で表すことができ、定期的または不定期に取得することができる。時間値は、中心とデータセットを表すピクセルの位置との間の距離に対応する。角度値は、基準方向１０４とデータセットを表すピクセルの位置との間の角度に対応する。
【００２４】
測定値は、センサーの値と同様に、色付きピクセルによって表される。測定値は、実数にすることができる。色は、線形または対数色空間、またはパーセント分布に基づく色空間など、対応する色空間から選択することができる。
【００２５】
各ピクセルは、サイクル内で同じ角度値を有する全てのデータセット１０７が、スパイラル１０５の中心１０１から始まるライン１０６上に配置されるように位置する。このようにして、圧縮機の様々なサイクルを描くことができる。
【００２６】
圧縮機の同一の角度位置で異なるサイクルで得られたデータセットは、ライン１０６上に配置される。特徴１０８は、特定の時間中に角度移動が生じない停止を示す。特徴１０９は、残りのスパイラル１０５と比較してゆっくりとした角度移動を示す。さらに、最大測定値の角度または時間的位置を識別することができる。
【００２７】
すべての特徴データは、データを評価する際にユーザが効率的にサポートされるように提示される。例えば、特定の角度又は特定のフェーズにおけるデータパターンは、容易に識別することができる。測定値の傾向または変更は、時間および角度に応じて容易に識別することができる。
【００２８】
この方法は、クランク角度および時間に依存した水圧を表すために、圧縮機に適用することができる。この方法は、回転角度および時間に依存する振動を表すためにタービンまたはローター、または回転角度および時間に依存する温度、振動、ノイズを表すためのドライブトレインで使用することができる。この方法は、短い時間間隔または長い時間間隔でさえも適用することができる。
【００２９】
図２は、多数の連続したサイクルにおける圧縮機の圧力を示すための基本的な実施に基づく時間角度スパイラルグラフ１０５を示す。時間角度スパイラルグラフは、５０００個のデータセットに基づいている。測定値は、線形分布（左）またはパーセント分布（右）に基づいてカラーで符号化される。右側のカラースケール１１７をクリックすることにより、色分布を変更することができる。
【００３０】
図３は、多数の連続したサイクルにおける圧縮機の圧力を示すための基本的な実施に基づく更なる時間角度スパイラルグラフ１０５を示す。時間角度スパイラルグラフは、５００００データセットに基づく。測定値の値は、線形分布（左）またはパーセント分布（右）に基づくカラーによって符号化される。
【００３１】
図４は、時間角度スパイラルグラフの相互関係を示す。右図は、時間ｔに応じた測定値Ｙの経過を示す。右図は、例えば、時間ｔにわたる圧力の測定値を示す線形図である。特定の時間間隔１０９が右図から選択またはマークされた場合、対応する間隔がリング１１１として左側の時間角度スパイラルグラフ１０５に示され、強調表示される。
【００３２】
反対に、時間的角度スパイラルグラフ１０５から特定の時間的間隔１１１が選択またはマークされた場合、対応する間隔が右図に示され、強調表示される。
【００３３】
図５は、さらなる時間角度スパイラルグラフの相互関係を示す。右側の図は、時間ｔに応じた測定値Ｙの経過も示している。閾値１１３を定義し、測定された値に対して閾値１１３を移動することによって、予め定義された閾値１１３を超えるデータセット１０７のピクセル１１５を、色付け（着色）または強調表示することができる。このようにして、閾値１１３を超える測定値を含むデータセット１０７の動的色付けが達成され、最大値を識別することができる。
【００３４】
図６は、ズーム画面におけるさらなる時間角度スパイラルグラフの相互関係を示す。マウスホイールを回転させることにより、マウスポインタの位置における動的なズームイン又はズームアウトが実現される。選択された領域は、任意に拡大または最小化することができる。パターンは、領域を拡大することによって、より容易に識別することができる。
【００３５】
この場合、角度および圧力は、経時的に、のこぎりの歯型のプロファイルを形成する。インタラクティブなズームインによって、ユーザは、測定値のわずかな不規則なパターンまたは変更さえも識別することができる。時間領域を選択することによって、対応する間隔を強調表示またはフィルタリングすることができる。これらは、折れ線グラフまたは線図でさらに視覚化することができる。
【００３６】
図７は、補強角度依存データまたはメトリックを含む時間角度スパイラルグラフ１０５を示す。スパイラル１０５の中央は、さらなる角度依存情報を表示するために使用される。内側の円１１７は、対応する半径方向セグメントおよびスパイラル１０５の特定の角度内の測定データのエントロピーまたは分散を示す。より明るいピクセルは、より高い値に対応する。
【００３７】
また、この場合、ピクセルの動的色付けを使用して、角度依存情報を表すことができる。高いエントロピー、すなわち、明るいピクセルは、異なるサイクル内の同じ角度で測定された圧力値を変化させることに対応する。
【００３８】
図８は、補強データを含むさらなる時間角度スパイラルグラフ１０５を示す。測定値は、線形分布（左）またはパーセント分布（右）に基づいて色で符号化される。また、この場合、内側円１１７は、スパイラル１０５の対応する半径方向セグメントまたは特定の角度内の測定データのエントロピーまたは分散を示す。技術的特徴の測定値は、角度に関して計算され、分析される。これは、サイクルに関する測定値の修正を示す。
【００３９】
パーツを製造するための圧縮機では、圧縮機の機械的パーツが同じ状態にあるので、同じ圧力が同じ角度の異なるサイクルで存在すると仮定される。しかしながら、スパイラル１０５の中央の色分けされた分散またはエントロピーピクセルは、同じ値で異なる圧力を示す。このようにして、圧縮機の予期しない行動または故障を視覚化することができる。ここで、領域１２１における主要な加圧手順の前に圧力が低下することを認識することができる。
【００４０】
図９は、画面２０１上にデータストリームに基づいて画像を表示するためのシステム２００の概略図を示す。データストリームは、少なくとも複数の時間値および複数の対応する角度値を含む。
【００４１】
このシステムは、データストリームを、時間値を含むサブセットデータストリームと角度値を含むデータストリームとに分離するためのデジタル分離部２０３を含む。さらに、このシステムは、第１のデータストリームに従って中心から半径方向の距離に、第２のデータストリームに従って基準方向からの角度に、極座標系でピクセルを画面２０５上に配置することによって、データストリームを表示するためのコントローラ２０５を備える。
【００４２】
分離部２０３およびコントローラ２０５は、配線された電子回路として、またはコンピュータ上で実行されるコンピュータプログラムによって実装することができる。コンピュータは、デジタルデータを記憶するためのメモリと、メモリからのデータを処理するためのプロセッサとを備える。
【００４３】
この方法は、測定値に対して異なるカラースキームを使用することによって、回転要素のサイクルおよび時間情報の関係を視覚化する。
【００４４】
このようにして、時間及び角度に依存した技術的特徴に関する一般的な画面が得られる。この方法は、角度、時間、および測定値に応じて複数のサイクルに関するメトリックを計算する。
【００４５】
サイクルおよび時間情報を視覚化することによって、時間にわたる周期的プロセスのパターン認識および特定の角度またはサイクル間隔に関する傾向の認識が容易になる。分散又はエントロピーのような追加データは、スパイラル１０５の内側部分に表示又は視覚化することができる。このようにして、時間、角度、およびセンサー情報を有するデータセット１０７は、抽象的な画面での容易な人間の理解が達成されるように、追加のデータで補強されることが可能である。
【００４６】
この方法は、時間およびサイクルに関して測定値を示すので、故障、限界を超える測定値、不明または故障の行動、または機械の摩耗を検出し、識別することを可能にする。したがって、生産方式を容易な方法で分析し、最適化することができる。機械の誤った挙動の探索が容易になる。
【００４７】
特定の実施形態に関して論じられた、または示されたすべての特徴は、それらの発明の効果を同時に実現するために、様々な組合せで提供することができる。
【００４８】
すべての方法ステップは、それぞれの方法ステップを実行するように適合された対応する手段によって実施することができる。特定の手段によって提供される全ての機能は、方法における方法ステップとすることができる。
【００４９】
保護の範囲は、特許請求の範囲によって示され、明細書で論じられるか、または図面に示される特徴によって限定されない。
【符号の説明】
【００５０】
１００…極座標系、１０１…中心位置、１０２…半径方向距離、１０３…角度、１０４…基準方向、１０５…スパイラル、１０６…ライン、１０７…データセット、１０８…特徴部分、１０９…特徴部分
【図１】
2019534452.tif 000003
【図２】
2019534452.tif 000004
【図３】
2019534452.tif 000005
【図４】
2019534452.tif 000006
【図５】
2019534452.tif 000007
【図６】
2019534452.tif 000008
【図７】
2019534452.tif 000009
【図８】
2019534452.tif 000010
【図９】
2019534452.tif 000011
【手続補正書】
【提出日】令和1年5月8日(2019.5.8)
【手続補正１】
【補正対象書類名】特許請求の範囲
【補正対象項目名】全文
【補正方法】変更
【補正の内容】
【特許請求の範囲】
【請求項１】
コンピュータによって実行される方法であって、
複数のデータセットの各データセットが少なくとも機械により実行されるサイクルの時間値と前記機械の要素の角度値を少なくとも含む、前記機械に関する前記複数のデータセットをセンサーが取得し、
前記時間値に基づいて中心から半径方向の距離に、前記角度値に基づいて基準方向からの角度に、極座標系において前記複数のデータセットを示す複数のピクセルを配置する
方法。
【請求項２】
前記複数のピクセルの各ピクセルは、前記データセットに付加的に含まれる測定値に基づいて色付けされる、請求項１に記載の方法。
【請求項３】
前記複数のピクセルの各ピクセルの色は、前記測定値に対する線形目盛、対数目盛、パーセント目盛である所定の尺度または正規化に基づいて選択される請求項２に記載の方法。
【請求項４】
対応する前記データセットの前記測定値が所定の閾値を超えると、所定の色が前記複数のピクセルの各ピクセルに割り当てられる、請求項２又は３に記載の方法。
【請求項５】
前記複数のピクセルの各画素に割り当てられた色は、カラースキームに基づいて修正される、請求項２〜４のいずれか１つに記載の方法。
【請求項６】
前記カラースキームは、線形カラースキームまたはパーセントカラースキームとして、前記測定されたデータに設定させる、請求項５に記載の方法。
【請求項７】
前記機械は圧縮機であり、前記測定値は前記圧縮機の圧力値である、請求項２〜６のいずれか１つに記載の方法。
【請求項８】
同じ角度値を有するデータセットの複数の測定値の分散を示すピクセルが、極座標系に配置される、請求項２〜７のいずれか１つに記載の方法。
【請求項９】
前記分散を示す各ピクセルの色は、前記分散に対する線形目盛、対数目盛、またはパーセント目盛に基づいて選択される、請求項８に記載の方法。
【請求項１０】
前記分散を示す前記ピクセルは、前記中心に対して円上に配置される、請求項８又は９に記載の方法。
【請求項１１】
前記複数のデータセットは、回転機械または発振機械上で取得される、請求項１〜１０のいずれか１つに記載の方法。
【請求項１２】
データストリームに基づいて画像を表示する方法であって、前記データストリームは、センサーにより取得される、少なくとも機械により実行される生産プロセスの複数の時間値と、前記生産プロセスを実行する前記機械の要素の複数の対応する角度値と、を含み、
前記データストリームを、時間値を含む第１のサブセットデータストリームと、角度値を含む第２のデータストリームとに分離し、
前記第１のデータストリームに基づいて中心から半径方向の距離に、前記第２のデータストリームに基づいて基準方向からの角度に、極座標系においてピクセルを配置することによって前記データストリームを表示する
方法。
【請求項１３】
データストリームに基づいて画像を表示するためのシステムであって、
前記データストリームは、センサーにより取得される少なくとも複数の時間値と、センサーにより取得される複数の対応する角度値とを含み、
前記データストリームを、時間値を含む第１のサブセットデータストリームと、角度値を含む第２のデータストリームとに分離するための分離器と、
前記第１のデータストリームに基づいて中心から半径方向の距離に、前記第２のデータストリームに基づいて基準方向からの角度に、極座標系においてピクセルを配置することによって、前記データストリームを表示するためのコントローラと、
を有し、
前記時間値は液圧に適用される圧縮機の圧縮サイクルに関連し、前記角度値は前記圧縮機のクランク角度である
システム。
【国際調査報告】
2019534452.tif 000012
2019534452.tif 000013